(57)【要約】【課題】頭低位且つ開脚砕石位の手術に際し、ドレープの足部側が床に接触して汚染されることを防ぐことができるサージカルドレープを得る。【解決手段】頭低位且つ開脚砕石位の患者2に被覆して使用するものであって、患者2の胴部側を被覆する上方被覆部3と、足部4側を被覆する下方被覆部5とから成る。またこの下方被覆部5は、患者2の両足をそれぞれ被覆する右足被覆部7と左足被覆部8とから成り、この右足被覆部7及び左足被覆部8は、それぞれ足を被覆した際に、この足の左右両側に垂下する一対の垂下部10を形成し、この一対の垂下部10の先端上方側を袋状に縫合する縫合部13を備えるとともに、垂下部10の下方側を縫合しない自由端14とし、この自由端14の角部15を斜め方向に切欠いた形状とする。【選択図】図１
2019097748.tif 000002
【特許請求の範囲】
【請求項１】
頭低位且つ開脚砕石位の患者に被覆して使用するものであって、患者の胴部側を被覆する上方被覆部と、足部側を被覆する下方被覆部とから成るとともに、この下方被覆部は、患者の両足をそれぞれ被覆する右足被覆部と左足被覆部とから成り、この右足被覆部及び左足被覆部は、それぞれ足を被覆した際に、この足の左右両側に垂下する一対の垂下部を形成し、この一対の垂下部の先端上方側を袋状に縫合した縫合部を備えるとともに、この縫合部の下方を、一対の垂下部を縫合しない自由端とし、この自由端の角部を、斜め方向に切欠いた形状としたことを特徴とするサージカルドレープ。
【請求項２】
右足被覆部及び左足被覆部は、一対の垂下部の境界部に沿って目印用の足部ステッチを設けたことを特徴とする請求項１のサージカルドレープ。
【請求項３】
境界部には、係合部と、この係合部に係合可能な係合受部とを備え、係合部と係合受部とを係合させることにより、下方被覆部の丈を短尺なものとすることができることを特徴とする請求項２のサージカルドレープ。
【請求項４】
上方被覆部と下方被覆部との間には、ドレープの幅方向に目印用の境界ラインを設けたことを特徴とする請求項１のサージカルドレープ。
【発明の詳細な説明】
【技術分野】
【０００１】
本発明は、頭低位且つ開脚砕石位の患者に被覆するサージカルドレープに関するものである。
【背景技術】
【０００２】
特許文献１に示す如く腹腔鏡手術の際に開脚砕石位の患者に使用するドレープが既に公知となっている。このドレープは、患者の胴部側を被覆する胴部被覆部と、患者の足部側を被覆する下方被覆部とから成り、この下方被覆部は、患者の両足を各々被覆する右足被覆部及び左足被覆部とで構成されたものである。そしてこのような開脚砕石位での手術では、手術を行う術者が患者の両足の間に位置して手術を行うものである。
【０００３】
また最近では、患者を頭低位且つ開脚砕石位の体位として手術するロボット支援腹腔鏡手術が行われるようになってきている。
【先行技術文献】
【特許文献】
【０００４】
【特許文献１】実用新案登録第３１７９９０４号公報
【発明の開示】
【発明が解決しようとする課題】
【０００５】
しかしながらこのロボット支援腹腔鏡手術においては、当初の患者の体位を砕石位とし、その後、適切な視野を確保するとともに複数のロボットアームの可動域を確保するために、手術台を傾斜させることによって患者の体位を頭低位且つ開脚砕石位とするものである。即ち、砕石位から頭低位且つ開脚砕石位に移行する際には、手術台を傾斜させて患者の頭部側を低位置に、足部側を高位置に固定することにより頭低位且つ開脚砕石位の状態とする。
【０００６】
そして上記の如く手術台を傾斜させて患者の足部側を低位置から高位置に移動させる際に、ドレープの足部側が患者の両足間で作業を行う術者に接触するおそれがある。特に、床に接触した足部側のドレープが術者に接触した場合には、術者が不潔となり手術に支障をきたすおそれがある。
【０００７】
そこで、本発明は上述の如き課題を解決しようとするものであって、ドレープの足部側が床に接触して汚染されることを防ぐことができる頭低位且つ開脚砕石位で行う手術用のサージカルドレープを得ようとするものである。
【課題を解決するための手段】
【０００８】
本発明は上述の如き課題を解決するため、頭低位且つ開脚砕石位の患者に被覆して使用するものであって、患者の胴部側を被覆する上方被覆部と、足部側を被覆する下方被覆部とから成るとともに、この下方被覆部は、患者の両足をそれぞれ被覆する右足被覆部と左足被覆部とから成り、この右足被覆部及び左足被覆部は、それぞれ足を被覆した際に、この足の左右両側に垂下する一対の垂下部を形成し、この一対の垂下部の先端上方側を袋状に縫合した縫合部を備えるとともに、この縫合部の下方を、一対の垂下部を縫合しない自由端とし、この自由端の角部を、斜め方向に切欠いた形状としたものである。
【０００９】
上記の如く自由端の角部を斜め方向に切欠いた形状とすることにより、開脚砕石位の患者に被覆したドレープの右足被覆部及び左足被覆部の下端側が床につきにくいものとなる。従って、この右足被覆部及び左足被覆部の清潔を良好に保つことができる。
【００１０】
そのため、開脚砕石位の状態で更に手術台を傾斜させて頭低位にし、患者の足部側を上方に移動した際にも、術者に右足被覆部及び左足被覆部の不潔部分が接触するという問題が生じにくいものとなる。尚、本発明のサージカルドレープを使用する頭低位且つ開脚砕石位での手術としては、例えば外科の直腸手術、泌尿器科の前立腺手術、婦人科の手術等が挙げられる。
【００１１】
また右足被覆部及び左足被覆部は、一対の垂下部の境界部に沿って目印用の足部ステッチを設けたものであってもよい。このように足部ステッチを設けることにより、一対の垂下部が左右のどちらか一方に偏って配置され、一方の垂下部の下端が床に接触して不潔となる事態を防ぐことができる。
【００１２】
また境界部には、係合部と、この係合部に係合可能な係合受部とを備え、係合部と係合受部とを係合させることにより、下方被覆部の丈を短尺なものとすることができるものであっても良い。これにより、個人差のある患者の足の長さに対応させて下方被覆部の丈を調節することが可能となる。
【００１３】
また、上方被覆部と下方被覆部との間には、ドレープの幅方向に目印用の境界ラインを設けたものであっても良い。これにより、患者の足部の付け根に境界ラインが位置するようドレーピングすることによって、ドレープの患者への位置あわせを容易に行うことができる。
【発明の効果】
【００１４】
本発明は上述の如く構成したものであって、自由端の角部を斜め方向に切欠いた形状とすることにより、角部形状が直角である従来のものと比較して、手術台上の患者に本発明のサージカルドレープを被覆した際に、自由端の下端側が床に接触しにくいものとなる。従って、この右足被覆部及び左足被覆部を清潔に保つことができる。
【００１５】
そのため、手術台を頭低位にして足部側を上方に移動した際に、右足被覆部及び左足被覆部が術者に接触しても、術者に不潔部分が接触するという事態を防ぐことができる。従って、頭低位且つ開脚砕石位の患者に対して行う手術を、清潔を保ちながら行うことができる。
【図面の簡単な説明】
【００１６】
【図１】本発明の実施例１を示すドレープ被覆時の斜視図。
【図２】実施例1の平面図。
【図３】下方被覆部の部分拡大平面図。
【図４】係合部と係合受部との係合状態を示す部分拡大平面図。
【図５】患者の足側から見たドレープ被覆時の斜視図。
【実施例１】
【００１７】
本発明の実施例１について説明すると、本実施例のドレープ(1)は、図1に示す如く患者(2)が頭低位且つ開脚砕石位の体位をとる腹腔鏡下前立腺悪性腫瘍手術等に使用するものである。そしてこのドレープ(1)は、図２に示す如く、患者(2)の胴部側を被覆する上方被覆部(3)と、足部(4)側を被覆する下方被覆部(5)とから成る。また上方被覆部(3)は、平布状に形成したものであって中央部には術野を露出可能とする開口部(6)を設けている。
【００１８】
また下方被覆部(5)は、患者(2)の両足をそれぞれ被覆する右足被覆部(7)と左足被覆部(8)とから成るものである。そしてこの右足被覆部(7)及び左足被覆部(8)は、患者(2)の足に被覆した際に、この足の両側に垂下する一対の垂下部(10)にて構成されたものである。そのため、患者(2)の足に沿ってこの一対の垂下部(10)の境界部(11)が位置するものとなる。
【００１９】
またこの一対の垂下部(10)の先端部(12)において、上方側を縫合することにより袋状の縫合部(13)を形成し、この縫合部(13)よりも下方を、一対の垂下部(10)どうしを縫合しない自由端(14)としている。そしてこの先端部(12)の下端側に位置する自由端(14)の角部(15)の形状を、図1に示す如く斜め方向に直線状に切欠いた形状としている。尚、本実施例では上記の如く、角部(15)の形状を直線状に切欠いた形状としているが、他の異なる実施例ではこれに限らず、角部(15)の形状を曲線状に切欠いた形状であっても良い。
【００２０】
また図３に示す如く、この境界部(11)に沿って目印用の足部ステッチ(16)を設けている。このように境界部(11)に沿って足部ステッチ(16)を設けることにより、この足部ステッチ(16)を患者(2)の足に沿って配置することにより、右足被覆部(7)及び左足被覆部(8)を正しい位置に配置することができる。そのため、右足被覆部(7)や左足被覆部(8)の一対の垂下部(10)が左右のどちらか一方に偏って配置され、一方の垂下部(10)の下端が床に接触して不潔となる事態を防ぐことができる。
【００２１】
尚、右足被覆部(7)及び左足被覆部(8)は、図1に示す如く患者(2)の両足のみならず、患者(2)の両足を支えている足台(17)についても完全に被覆可能としている。そのため、患者(2)の足部(4)全体の清潔を良好に保つことができる。
【００２２】
またこの境界部(11)には、図３に示す如く係合部(18)と、この係合部(18)から間隔を介した位置に、この係合部(18)に係合可能な係合受部(20)とを設けている。そして図４に示す如く、この係合部(18)と係合受部(20)とを係合させることにより、右足被覆部(7)及び左足被覆部(8)の丈を短尺なものとすることができる。そのため、個人差のある患者(2)の足の長さに対応させて下方被覆部(5)の丈を調節することができる。
【００２３】
また、上記の如く形成した下方被覆部(5)と上方被覆部(3)との間には、図２に示す如くドレープ(1)の幅方向に目印用の境界ライン(21)を設けている。このような境界ライン(21)を設けることによって、患者(2)の足部(4)の付け根に境界ライン(21)が位置するよう配置することによって、ドレープ(1)と患者(2)との位置あわせを容易に行うことができる。
【００２４】
上記の如き構成の本発明のドレープ(1)を用いたロボット支援腹腔鏡下手術の前立腺全摘手術を行う際の、手術開始までの流れについて以下に説明する。まず、手術を受ける患者(2)は手術台上で仰臥位の体位をとる。次に、患者(2)に麻酔を導入した後、この患者(2)の体位を、足台(17)を用いて開脚砕石位とする。
【００２５】
その後、本実施例のドレープ(1)を患者(2)に被覆するドレーピングを行う。この時、上記の如く上方被覆部(3)と下方被覆部(5)との間に設けた境界ライン(21)が患者(2)の足の付け根に位置するよう配置するとともに、一対の垂下部(10)の境界部(11)に設けた足部ステッチ(16)を患者(2)の足に沿って配置する。
【００２６】
これにより、ドレープ(1)の患者(2)への位置あわせを容易に行うことができるとともに、一対の垂下部(10)が左右のどちらか一方に偏って配置され、一方の垂下部(10)の下端が床に接触して不潔となる事態を防ぐことができる。そしてドレーピングの終了後、ロボット(図示せず。)のセッティングを行う。
【００２７】
その後、患者(2)の体位を頭低位に、且つ足部(4)側を上方に移動させて、図５に示す如く頭低位とする。この時、上記の如くドレープ(1)の下方被覆部(5)の自由端(14)の角部(15)を斜め方向に切欠いた形状としていることから、角部(15)形状が直角である従来のものと比較して、自由端(14)の下端側が床に接触しにくいものとなる。
【００２８】
従って、頭低位とするために患者(2)の足部(4)側が上方に移動した際に、右足被覆部(7)及び左足被覆部(8)が患者(2)の両足間に待機している術者(図示せず。)に接触する事態が生じた場合でも、この術者に不潔部分が接触するおそれがなく清潔を保ちながら手術を行うことが可能となる。そして、ロボット支援腹腔鏡下による前立腺全摘手術を行う。
【００２９】
尚、本実施例では上記の如く、ロボット支援腹腔鏡下による前立腺全摘手術に本発明のサージカルドレープを使用しているが、他の異なる実施例ではこれに限らず、患者が頭低位且つ開脚砕石位の体位をとる、例えば外科の直腸手術、泌尿器科の前立腺手術、婦人科の手術等の様々な術式に使用することができる。
【符号の説明】
【００３０】
１  患者
２  上方被覆部
４  足部
５  下方被覆部
７  右足被覆部
８  左足被覆部
１０  垂下部
１１  境界部
１３  縫合部
１４  自由端
１５  角部
１６  足部ステッチ
１８  係合部
２０  係合受部
２１  境界ライン
【図１】
2019097748.tif 000003
【図２】
2019097748.tif 000004
【図３】
2019097748.tif 000005
【図４】
2019097748.tif 000006
【図５】
2019097748.tif 000007